(57)【要約】      （修正有）【課題】燃料油に遠赤外線と磁性とを同時に作用させて燃焼効率を向上する燃料油節約器を提供する。【解決手段】管体１、弾性部品４、遠赤外線セラミック粒子５及び磁性部品６からなり、管体１両端に配置した燃料油供給管２と燃料油排出管３の管体１内側にそれぞれ弾性部品４を配置して、管体１内に収容した遠赤外線セラミック粒子５を管体１両端から押圧して配置すると共に、該管体１外周壁の遠赤外線セラミック粒子５に対応する位置に該管体を挟んで２個の磁性部品６をそれらの磁極が相対するように配置して、管体１内を流通する燃料油に遠赤外線と磁性とを同時に作用せしめる。【選択図】図１
0003186566.tif 000002
【実用新案登録請求の範囲】
【請求項１】
管体、燃料油供給管、燃料油排出管、２個の弾性部品、数個の遠赤外線セラミック粒子、２個の磁性部品からなり、
該管体は、中空体からなり
上記燃料油供給管及び燃料油排出管は、それぞれ上記管体の内径に対応する位置限定ストッパーを延伸して設置した燃料油通道を設けて、該管体の両端に対して組み立てて燃料油通道を該管体内へ連通し
上記２個の弾性部品は、それぞれ上記燃料油供給管及び燃料油排出管の位置限定ストッパーに嵌合して配置し、
上記数個の遠赤外線セラミック粒子を上記管体内に収容すると共にこれらの弾性部品により管体両端から押圧して配置し、
上記２個の磁性部品は、該管体外周壁面の上記遠赤外線セラミック粒子に対応する位置において、該管体を挟んで同磁極が相対するように密着して配置したことを特徴とする燃料油節約器。
【請求項２】
前記弾性部品の直径は、該遠赤外線セラミック粒子の直径より小さいことを特徴とする請求項１に記載の燃料油節約器。
【請求項３】
前記管体外部には、カバー体を設置し、該磁性部品に対して射出成型により一体成型して該管体外壁に定位することを特徴とする請求項１に記載の燃料油節約器。
【請求項４】
前記２個の磁性部品は、上記管体内周壁面の上記遠赤外線セラミック粒子に対応する位置において、同磁極が相対するように密着して配置したことを特徴とする燃料油節約器。
【請求項５】
前記弾性部品の直径は、該遠赤外線セラミック粒子の直径より小さいことを特徴とする請求項４に記載の燃料油節約器。
【考案の詳細な説明】
【技術分野】
【０００１】
本考案は、燃料油節約器に関し、特に燃焼効率を向上することができる燃料油節約器技術で、燃料油を純化、細粒化することによって燃焼効率を高め、燃料油節約の効果を達成する燃料油節約器に関する。
【背景技術】
【０００２】
自動車は、燃料油を使用する交通手段である。
【０００３】
従来の燃料油節約器には、特許文献１に示す自動車用燃料油節約器がある。該構造は、中空管、鉱物集合体、２個のフィルタリングリング、２個の端蓋及び弾性部品からなる。該中空管には、適度な長さで、鉱物集合体、２個のフィルタリングリング、弾性部品を収容して設置できる管身を設置し、両端には、相対する結合部を設置する。
【０００４】
上記鉱物集合体は、多種の天然鉱物を合成して製造した若干の特殊セラミック管を相互に結合し一体に成型する。
該特殊セラミック管は、中空管内に設置し、両端に進出可能な通道とフィルタリングリングに対応設置して嵌める。
該フィルタリングリング外端にはさらに、可動孔を設置し、且つ、表面にはフィルターを設置する。
該端蓋片側には、組合せ接続部を設置し、中空管両端結合部と相互に組み合わせて固定する。
弾性部品を、片側フィルタリングリング端蓋間に挟んで設置する。
【０００５】
別に、該端蓋片側には、燃料油注入端を突出状に設置し、車両内部の進燃料油排出管と対応させて可動状に組み立てることができる。
これにより、各特殊セラミックの高エネルギー元素と燃料油の油分子とが物理作用を生じ、油分子を微細化及び活性化し、同時に、油分子の酸素含有量を高め、及び混合比を向上させることで、エンジンにカーボンがたまる減少の発生を減らし、排気ガスを減らすことができる。
こうして、燃料油を節約し、馬力を向上させる効果を達成する。
【０００６】
さらに、特許文献２に示す自動車燃料油節約器アセンブリ構造では、燃料油節約器は、容器、遠赤外線を備える数個の顆粒、接続台により構成する。
該容器は周縁に、数個の穿孔を設置し、且つ、一端には開口を設ける。
該容器の開口端縁には、外ネジヤマを設け、同時に、遠赤外線を備える数個の顆粒を、該容器中に充填する。
該開口は、接続台で覆って封鎖する。
該接続台は、少なくとも１個の端に、接合のための接続端を設置する。
該接続端内縁には、内ネジヤマを設置し、該接続台周縁には、結合孔を環状に設置する。
連結棒を利用し、２個の接続台を相互に連結し、少なくとも２個以上の燃料油節約器の連結を達成する。
【０００７】
図４に示すように、特許文献３に開示する燃料油節約器は殼体１０、少なくとも２個の同極磁性が対合する磁性体２０及び少なくとも１個の蓋体からなる。
該殼体１０には、収容設置槽３０及び両側の副収容設置槽４０を設ける。
少なくとも１個の端には、開口を設け、該開口端周縁には、ネジ孔を設ける。該開口端には、蓋体を螺合して封鎖する。
２個の磁性体２０は、同磁極を対応させて合わせ、相互に接近させて収容設置槽３０内に挟んで設置する。
副収容設置槽４０内には、遠赤外線粒子５０を設置する。
蓋体周縁位置には、孔を設けて、蓋体上には、貫通孔を設ける。
上記殼体１０の開口には、ネジを用いて蓋体を螺合し、燃料油節約器を構成する。
【０００８】
しかし、その燃料油は、それぞれ収容設置槽３０と副収容設置槽４０により流通するため、２個の槽の燃料油は、同時に、磁性体２０及び遠赤外線粒子５０との作用を受けることはできず、該磁性体２０或いは該遠赤外線粒子５０とそれぞれ別個に作用して個別に効果を発揮する。
よって、収容設置槽３０の燃料油は、磁性体２０による作用後の効果しか備えておらず、副収容設置槽４０の燃料油は、遠赤外線粒子５０作用後の効果しか備えていない。
すなわち、２個の槽は、それぞれ半分ずつの作用しか実現できないため、燃料油節約効果は不良である。
【０００９】
特許文献４に開示する磁力式燃料油節約器は、中段外縁に螺旋状に配列する複数の両相対密着設置部を設置し、旋回ツイスト状を形成する。
該両相対密着設置部上には、N極とＳ極が向かい合う磁石を設置する。
使用時には、燃料油は、該内管一端の開口から流入し、磁力を経て、活性化された後、反対端の開口から流出する。
【００１０】
特許文献５に開示する赤外線セラミックを備える燃料油節約器は、外筒体、セラミック管及び上蓋を備える。
該セラミック管の管壁上には、多数の細微な孔隙を密に敷設し、これにより中空部は流道を成型する。
該上蓋は、該外筒体と相対して使用する。
該上蓋の導流管は、該セラミック管流道の反対端に挿入することができる。
これにより、燃料油が導流管を経て、該セラミック管の流道内に送りこまれる時、該セラミック管末端は既に定位され封鎖されている。
【００１１】
これにより、燃料油は、絶えず押され、セラミック管の各孔隙から滲出する。
さらに、該セラミック管が放出する遠赤外線を利用し、燃料油の燃焼効率を高め、燃料油節約の目的を達成する。
同時に、燃料油は該セラミック管と直接接触し、その孔隙から滲出するため、微細化と活性化の効果はより顕著となる。
こうして、燃料油の燃焼は、より完璧に近くなる。
本考案は、従来の燃料油節約器の上記した欠点に鑑みてなされたものである。
【先行技術文献】
【特許文献】
【００１２】
【特許文献１】台湾特許公告第M322468号
【特許文献２】台湾特許公告第M327922号
【特許文献３】台湾特許公告第M383043号
【特許文献４】台湾特許公告第M389776号
【特許文献５】台湾特許公告第M402351号
【特許文献６】特開平０６−３４６８０５号公報
【考案の概要】
【考案が解決しようとする課題】
【００１３】
本考案が解決しようとする課題は、燃料油を純化、微細化することで、燃焼効率を高め、燃料油節約の効果を達成する燃料油節約器を提供することである。
【課題を解決するための手段】
【００１４】
上記課題を解決するため、本考案は下記の燃料油節約器を提供する。
燃料油節約器は、管体、弾性部品、遠赤外線セラミック粒子及び磁性部品からなり、
該管体両端には、それぞれ燃料油供給管と燃料油排出管を形成し、
該管体内の進、燃料油排出管に対応する位置には、それぞれ弾性部品を設置し、
さらに、該個の弾性部品間には、該数個の遠赤外線セラミック粒子を設置し、
該管体外壁の、該遠赤外線セラミック粒子に対応する位置には、相互に対応し、且つ同極を対して相互に反発する２個の磁性部品を設置し、
これにより、遠赤外線及び磁場震動を利用し、燃料油分子を、微細化及び活性化し、燃焼効率を高め、燃料油節約効果を達成し、
燃料油節約器はさらに、該弾性部品の直径を、該遠赤外線セラミック粒子の直径より小さくすることで、燃料油流動が該進、燃料油排出管で塞がれることを防止し、
燃料油節約器はさらに、該管体外部に、カバー体を設置し、該磁性部品に対応して覆って射出成型し、該管体外壁に定位し、
第二実施例では、該２個の磁性部品を、該管体内壁面にそれぞれ対応させて密着設置し、しかも該遠赤外線セラミック粒子の位置に対応し、該２個の磁性部品は、同極で相互に対応し、該弾性部品の直径は、該遠赤外線セラミック粒子の直径より小さいため、該管体外部に設置するカバー体を省くことができる。
【考案の効果】
【００１５】
本考案の燃料油節約器は、燃料油を純化、細粒化することで、燃焼効率を高め、燃料油節約の効果を達成することができる。
【図面の簡単な説明】
【００１６】
【図１】本考案第一実施例の立体分解模式図である。
【図２】本考案第一実施例の組合せ局部断面模式図である。
【図３】本考案第一実施例の断面模式図である。
【図４】従来の技術の模式図である。
【図５】本考案第二実施例の断面模式図である。
【考案を実施するための形態】
【００１７】
以下に図面を参照しながら本考案を実施するための最良の形態について詳細に説明する。
【実施例】
【００１８】
図１、２に示すように、本考案の燃料油節約器は、管体１、燃料油供給管２、燃料油排出管３、２個の弾性部品４、数個の遠赤外線セラミック粒子５、２個の磁性部品６からなる。
【００１９】
該管体１は、中空体である。
【００２０】
該燃料油供給管２は、該管体１の一端に対応して組み立て、さらに、燃料油通道２１を設けて該管体１内へ連通し、該燃料油供給管２の燃料油通道２１は、該管体１の内径位置に対応し、位置限定ストッパー２２を延伸して設置する。
【００２１】
該燃料油排出管３は、該管体１の反対端に設置し、燃料油通道３１を設けて該管体１内に連通し、該燃料油排出管３の燃料油通道３１は、該管体１の内径位置に対応し、位置限定ストッパー３２を延伸して設置する。
【００２２】
上記の２個の弾性部品４は、該燃料油供給・排出管２、３の位置限定ストッパー２２、２３にそれぞれ対応して嵌合して設置する。
【００２３】
該数個の遠赤外線セラミック粒子５は、該管体１内の、該２個の弾性部品４の間に対応して設置し、該遠赤外線セラミック粒子５の直径は、該弾性部品４の直径より大きい。
【００２４】
該２個の磁性部品６は、該管体１外壁面に対応させて密着して設置し、且つ、上記遠赤外線セラミック粒子５の位置に対応する。
【００２５】
該２個の磁性部品６は、同極性で相対する。
【００２６】
図１〜４に示すように、組立て時には、先ず、該管体１の一端に対して該燃料油供給管２(或いは燃料油排出管３)に組立て、次に該弾性部品４に対して該位置限定ストッパー２２に嵌めて設置し、該複数の遠赤外線セラミック粒子５を対応させて、該管体１内に入れ、該弾性部品４に接触させる。
【００２７】
該遠赤外線セラミック粒子５が、該燃料油供給管２燃料油通道２１或いは該燃料油排出管３の燃料油通道２１を、塞がないようにするため、該遠赤外線セラミック粒子５の直径は、該弾性部品４の直径より大きい。
【００２８】
続いて、該燃料油排出管３(或いは燃料油供給管２)の位置限定ストッパー３２を、該弾性部品４に対応させて嵌めて設置し、該管体１反対端に対応させて組み立てる。
【００２９】
さらに、該管体１外壁の、該遠赤外線セラミック粒子５に対応する両側には、該磁性部品６を対応させて密着設置し、かつ、該２個の磁性部品６は、同極性で相対応して配置する(即ち、N極対N極、或いはS極対S極)、
【００３０】
最後に、該燃料油節約器を、燃料油流通のルート上に対応して組立てる。
【００３１】
燃料油が、該燃料油供給管２の燃料油通道２１から、該管体１内に入ると、遠赤外線処理を経た遠赤外線セラミック粒子５により、遠赤外線と熱エネルギーを吸収し、赤外線放射熱を発生し、燃料油の分子構造を変え、燃料油中の油分子の微細化配列をより完璧にし、これにより分子の酸素含有量を上げ、燃焼効率を高める。
【００３２】
同時に、該磁性部品６により、燃焼成分中の炭化水素化合物を、磁力の反発による震動活性化を経て、迅速に分解を促進し、分子を組み替える。
【００３３】
これにより、炭化水素ベース分子は、より均一に酸素分子と結合し、もともと浪費されていた分子を放出し、燃料油の酸素含有量を高める。
【００３４】
よって、燃料油が該燃料油排出管３の燃料油通道３１を経て、エンジンに流入し、燃焼に使用されると、完全燃焼の効果を達成し、こうして燃焼効率を高め、燃料油節約の効果を達成することができる。
【００３５】
また、該管体１外部には、カバー体７を設置し、該磁性部品６に対応して覆って射出成型し、該管体１外壁に定位する。
【００３６】
図３に合わせて図５に示すように、本考案の第二実施例では、該２個の磁性部品６を、該管体１内壁面にそれぞれ対応させて密着設置する。
【００３７】
そして、該遠赤外線セラミック粒子５の位置に対応し、該２個の磁性部品６は、同極性で相対し、該弾性部品の直径は、該遠赤外線セラミック粒子の直径より小さいため、該管体１外部に設置するカバー体７を省くことができる。
【００３８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４０】
1  管体
2  燃料油供給管
21  進燃料油通道
22  位置限定ストッパー
3  燃料油排出管
31  出燃料油通道
32  位置限定ストッパー
4  弾性部品
5  遠赤外線セラミック粒子
6  磁性部品
【図１】
0003186566.tif 000003
【図２】
0003186566.tif 000004
【図３】
0003186566.tif 000005
【図４】
0003186566.tif 000006
【図５】
0003186566.tif 000007
【手続補正書】
【提出日】平成25年8月9日(2013.8.9)
【手続補正１】
【補正対象書類名】実用新案登録請求の範囲
【補正対象項目名】請求項４
【補正方法】変更
【補正の内容】
【請求項４】
前記２個の磁性部品は、上記管体内周壁面の上記遠赤外線セラミック粒子に対応する位置において、同磁極が相対するように密着して配置したことを特徴とする請求項１記載の燃料油節約器。